(57)【要約】  パネルのセットは、第１パネル（１）と第２パネル（２）とを含む。前記第１パネルの第１縁部と前記第２パネルの第２縁部とが、前記第１縁部に対する前記第２縁部の鉛直方向の変位（１０）によって一体に係止されて組み付けられるように構成される。前記第１縁部は、水平及び鉛直方向の係止のために、前記第２縁部の係止溝部（４）と協働するように構成された係止要素（５）を含む。前記第１縁部は、鉛直方向の係止のために、前記第２縁部の舌部溝部（６）と協働するように構成された舌部（３）を含む。前記第１縁部の上部は第１ガイド面（１１）を含み、前記下リップの下縁部は第２ガイド面を含む。前記係止要素の上部は第３ガイド面（１２）を含み、前記係止溝部の下縁部は第４ガイド面を含む。
2019535932.tif 000002
【特許請求の範囲】
【請求項１】
第１パネル（１）と第２パネル（２）とを備えるパネルのセットであって、前記第１パネルの第１縁部と前記第２パネルの第２縁部とが、前記第１縁部に対する前記第２縁部の鉛直方向の変位（１０）によって一体に係止されて組み付けられるように構成され、
前記第１縁部は、水平及び鉛直方向の係止のために、前記第２縁部の係止溝部（４）と協働するように構成された係止要素（５）を備えるパネルのセットにおいて、
前記第１縁部は、鉛直方向の係止のために、前記第２縁部の舌部溝部（６）と協働するように構成された舌部（３）を備え、
前記舌部溝部（６）は、上リップ（７）と下リップ（４２）とを有し、
前記第１縁部の上部は第１ガイド面（１１）を備え、前記下リップ（４２）の下縁部は第２ガイド面（２１）を備え、これらは前記鉛直方向の変位に際して協働するように構成され、
前記係止要素の上部は第３ガイド面（１２）を備え、前記係止溝部の下縁部は第４ガイド面（２２）を備え、これらは前記鉛直方向の変位に際して協働するように構成され、
前記舌部の先端部は第５ガイド面（１３）を備え、前記舌部溝部（６）の下リップ（４２）の先端部は第６ガイド面（２３）を備え、これらは前記鉛直方向の変位に際して協働するように構成される、
ことを特徴とするパネルのセット。
【請求項２】
前記第３及び前記第４ガイド面（１２、２２）、並びに前記第５及び前記第６ガイド面（１３、２３）は、前記鉛直方向の変位に際して、それぞれ同時に協働するように構成される、
請求項１に記載のパネルのセット。
【請求項３】
前記第１及び前記第２ガイド面（１１、２１）は、前記鉛直方向の変位に際して、前記第３及び第４ガイド面（１２、２２）が協働するようになる前に協働するように構成される、
請求項１又は２に記載のパネルのセット。
【請求項４】
前記第５及び前記第６ガイド面（１３、２３）は、互いに対して本質的に平行であるとともに、好適には本質的に鉛直である、
請求項１‐３のいずれか一項に記載のパネルのセット。
【請求項５】
前記第１ガイド面（１１）は、前記第５ガイド面（１３）の上方に配置される、
請求項１‐４のいずれか一項に記載のパネルのセット。
【請求項６】
前記第２ガイド面（２１）は、前記第６ガイド面（２３）の下方に配置される、
請求項１‐５のいずれか一項に記載のパネルのセット。
【請求項７】
前記舌部溝部の上リップ（７）は、前記第１及び前記第２縁部の係止状態において、前記第１ガイド面（１１）と重なるように構成される、
請求項１‐６のいずれか一項に記載のパネルのセット。
【請求項８】
前記上リップ（７）の下面（２４）は、湿気及び／又は埃が係止状態の前記第１及び前記第２縁部の間に入り込むことを抑制するように、前記第１ガイド面（１１）と協働するように構成される、
請求項７に記載のパネルのセット。
【請求項９】
前記第１ガイド面（１１）は、前記第１縁部の最上部の傾斜面、又は丸み面である、
請求項１‐８のいずれか一項に記載のパネルのセット。
【請求項１０】
前記第１ガイド面は、前記第５ガイド面に隣接する、好適にはこれに連なる、
請求項１‐９のいずれか一項に記載のパネルのセット。
【請求項１１】
係止ストリップが、前記舌部（５）の下方において前記第１縁部から突出し、
前記係止ストリップは、前記係止要素を備える、
請求項１‐１０のいずれか一項に記載のパネルのセット。
【請求項１２】
前記係止要素（５）の第１係止面（３１）が、鉛直及び水平方向の係止のために、前記係止溝部（４）の第２係止面（３２）と協働するように構成され、
前記第１係止面（３１）と前記第１パネル（１）の上面との間の第１係止角度（４３）は、約４５°乃至約８５°の範囲、好適には約６０°乃至約８５°の範囲にあるか、好適には約８０°である、
請求項１１に記載のパネルのセット。
【請求項１３】
前記舌部（３）の前記先端部は、丸みを帯びた形状を有する、
請求項１‐１２のいずれか一項に記載のパネルのセット。
【請求項１４】
前記舌部の前記先端部において隣接する面同士の間の各角度は、９０°より大きい、
請求項１‐１３のいずれか一項に記載のパネルのセット。
【請求項１５】
前記舌部溝部（６）の前記下リップ（４２）の前記先端部は、丸みを帯びた形状を有する、
請求項１‐１４のいずれか一項に記載のパネルのセット。
【請求項１６】
前記下リップ（４２）の前記先端部において隣接する面同士の間の各角度は、９０°より大きい、
請求項１‐１５のいずれか一項に記載のパネルのセット。
【請求項１７】
前記舌部は、下側面に係止面（３３）を備え、
前記第５ガイド面（１３）と前記舌部の前記係止面（３３）との間の第２舌部角度（９２）は、約１００°乃至約１４５°の範囲、好適には約１１０°乃至約１４５°の範囲にある、
請求項１‐１６のいずれか一項に記載のパネルのセット。
【請求項１８】
前記舌部溝部は、前記下リップ（４２）の上側面に係止面（３４）を備え、
前記下リップ（４２）の前記係止面（３４）と前記第６ガイド面（２３）との間の第１リップ角度（９３）は、約１００°乃至約１４５°の範囲、好適には約１１０°乃至約１４５°の範囲にある、
請求項１‐１７のいずれか一項に記載のパネルのセット。
【発明の詳細な説明】
【技術分野】
【０００１】
本発明の実施形態は、鉛直方向の変位により一体に係止されるように構成される床板等のパネルに関する。
【背景技術】
【０００２】
鉛直方向の変位により組み付けられ、鉛直方向及び水平方向において一体に係止されるように構成されたパネルが公知である。このようなパネルは、例えば、ＷＯ２０１４／１８２２１５号に開示されている。舌部と溝部との接続により、第１パネルの第１縁部と第２パネルの第２縁部とが係止される。第１及び第２縁部は、鉛直及び水平方向の係止のために、係止溝と協働するように構成された係止要素を更に備える。
【０００３】
本発明の実施形態は、パネルの容易な組付及び／又は高い係止力を提供する必要性に取り組む。
【発明の概要】
【０００４】
本発明の少なくとも或る実施形態の目的は、上述の技術及び既知の技術を超える改良を提供することである。
【０００５】
本発明の少なくとも或る実施の形態の目的は、鉛直方向の変位により組み付けられ鉛直方向及び水平方向に一体に係止されるように構成されたパネルの組付を容易にすることである。
【０００６】
本発明の少なくとも或る実施の形態の目的は、パネルの縁部のダメージ、特に係止機能を有する縁部の部品のダメージを防止する、又は少なくとも減少させることによって係止強度を増大させることである。係止強度は、パネルの縁部における係止面の改良された構成によっても増大し得る。
【０００７】
本明細書から明らかになるであろうこれら及び他の目標及び利点の少なくともいくつかが、第１パネルと第２パネルとを備えるパネルのセットを備える本発明の第１態様により達成された。第１パネルの第１縁部と第２の第２縁部とが、第１縁部に対する第２縁部の鉛直方向の変位によって一体に係止されて組み付けられるように構成されている。第１縁部は、水平及び鉛直方向の係止のために、第２縁部の係止溝と協働するように構成された係止要素を備える。第１縁部は、鉛直方向の係止のために、第２縁部の舌部溝部と協働するように構成された舌部を備える。第１縁部の上部は第１ガイド面を備え、舌部溝部の下リップの下縁部は第２ガイド面を備え、これらは鉛直方向の変位に際して協働するように構成される。係止要素の上部は第３ガイド面を備え、係止溝部の下縁部は第４ガイド面を備え、これらは鉛直方向の変位に際して協働するように構成される。舌部の先端部は第５ガイド面を備え、舌部溝部の下リップの先端部は第６ガイド面を備え、これらは鉛直方向の変位に際して協働するように構成される。
【０００８】
３対のガイド面は、鉛直方向の変位に際して、特に舌部のダメージが防止され得るという利点を有し得る。
【０００９】
係止要素と同一の縁部である第１縁部の舌部は、向上したガイド性を提供し得ると同時に、舌部溝部との協働するための向上した構成を提供し得る。
【００１０】
第３及び第４ガイド面、並びに第５及び第６ガイド面は、鉛直方向の変位に際して、それぞれ同時に協働するように構成され得る。
【００１１】
第１及び第２ガイド面は、鉛直方向の変位に際して、第３及び第４ガイド面によるガイドを備える第２ガイド状態の前に、第１ガイド状態において協働するように構成され得る。これは、これらの縁部が第３及び第４ガイド面、並びに第５及び第６ガイド面によってガイドされるときに、第２縁部が第１縁部に対して正しい位置に配置されるという利点を有し得る。この第２ガイド位置は、第１及び第２縁部を係止状態に変位させるように、係止ストリップの曲げ加工及び／又は第１及び第２縁部の部品の圧縮加工と同時に生じ得る。曲げ加工と圧縮加工は、第１及び第２縁部の応力を伴う。正しい配置は、応力を減少させ得る。
【００１２】
第５及び第６ガイド面は、互いに対して本質的に平行であり得る、及び／又は本質的に鉛直であり得る、好適には鉛直であり得る。
【００１３】
第１ガイド面は、第５ガイド面の上方に配置され得る。
【００１４】
第２ガイド面は、第５ガイド面の下方に配置され得る。
【００１５】
舌部溝部の上リップは、第１及び第２縁部の係止状態において、第１ガイド面と重なるように構成され得る。
【００１６】
上リップの下面は、湿気及び／又は埃が係止状態の第１及び第２縁部の間に入り込むことを抑制するように、第１ガイド面と協働するように構成され得る。
【００１７】
第１ガイド面は、第１縁部の最上部の傾斜面、又は丸み面であり得る。
【００１８】
第１ガイド面は、第５ガイド面に隣接し得る、好適にはこれに連なり得る。第１ガイド面と第５ガイド面とが近接して配置されることにより、ガイド性を向上させ得るより大きなガイド面のための空間が提供される。
【００１９】
係止ストリップが、舌部の下方において第１縁部から突出し、係止ストリップは、係止要素を備える。
【００２０】
係止要素の第１係止面が、鉛直及び水平方向の係止のために、係止溝部の第２係止面と協働するように構成され得る。第１係止面と第１パネルの上面との間の第１係止角度は、好適には約４５°乃至約８５°の範囲、好適には約６０°乃至約８５°の範囲にあるか、好適には約８０°である。
【００２１】
舌部の先端部は、丸みを帯びた形状を有し得る。これにより、先端部の強度が向上し得る。
【００２２】
舌部溝部の下リップの先端部は、丸みを帯びた形状を有し得る。これにより、先端部の強度が向上し得る。
【００２３】
第１縁部及び第２縁部は、好適には、フライス加工等の機械的切削加工により製造される。
【００２４】
係止面及びガイド面は、第１パネル及び／又は第２パネルのコアの材料から構成され得る。
【００２５】
第１パネル及び第２パネルは、弾性パネルであり得る。弾性パネルは、熱可塑性材料から構成されるコアを備え得る。熱可塑性材料は発泡性であり得る。
【００２６】
熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレン・テレフタレート（ＰＥＴ）、ポリアクリレート、メタクリレート、ポリカーボネート、ポリビニル・ブチラール、ポリブチレン・テレフタレート、又はこれらの組み合わせから構成され得る。コアは、複数の層から形成され得る。
【００２７】
第１パネル及び第２パネルは、熱可塑性材料から構成される装飾箔等の装飾層を備え得る。熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレン・テレフタレート（ＰＥＴ）、ポリアクリレート、メタクリレート、ポリカーボネート、ポリビニル・ブチラール、ポリブチレン・テレフタレート、又はこれらの組み合わせから構成され得る。装飾箔は、好適には、例えば直接輪転グラビア印刷による、又はデジタル印刷による印刷である。
【００２８】
第１パネル及び第２パネルは、フィルム又は箔等の摩耗層を備え得る。摩耗層は、熱可塑性材料から構成され得る。熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレン・テレフタレート（ＰＥＴ）、ポリアクリレート、メタクリレート、ポリカーボネート、ポリビニル・ブチラール、ポリブチレン・テレフタレート、又はこれらの組み合わせから構成され得る。
【００２９】
本発明の実施形態は、高い摩擦を有するガイド面と、あまり弾性のない熱可塑性材料から構成される舌部とを備えるパネルに対して特に有利であり得る。
【００３０】
第１及び第２パネルは、ＨＤＦ、ＭＤＦ又はべニア板等の木質ベースのコアを備え得る。
【００３１】
第１ガイド面は、好適には、装飾層及び／又は摩耗層を通過して延在する。第１ガイド面の一部は、コア材料から構成される。
【００３２】
第１パネルと第２パネルとは、第１及び／又は第２パネルを下方に回転させることにより分解されるように構成され得る。
【００３３】
本発明の第２態様は、第１パネルと第２パネルとを備えるパネルのセットを備える。第１パネルの第１縁部と第２パネルの第２縁部とは、第１縁部に対する第２縁部の鉛直方向の変位によって一体に係止されて組み付けられるように構成される。第１縁部は、水平及び鉛直方向の係止のために、第２縁部の係止溝部と協働するように構成された係止要素を備える。第１縁部は、鉛直方向の係止のために、第２縁部の舌部溝部と協働するように構成された舌部を備える。係止要素の上部は第３ガイド面を備え、係止溝部の下縁部は第４ガイド面を備え、これらは鉛直方向の変位に際して協働するように構成される。舌部の先端部は第５ガイド面を備え、舌部溝部の下リップの先端部は第６ガイド面を備え、これらは鉛直方向の変位に際して協働するように構成される。舌部の係止面は、鉛直方向の係止のために、舌部溝部の係止面と協働するように構成される。これらの係止面は、第１及び第２縁部の係止状態において、互いに対して特徴的な角度をなして配置される。
【００３４】
利点は、製造公差及び／又は第１縁部と第２縁部との面同士の間の埃又は他の粒子の存在を理由としてこれらの係止面が不正確に配置されたとしても、舌部の係止面が舌部溝部の係止面と協働し得るということであり得る。
【００３５】
係止ストリップが、舌部の下方において第１縁部から突出し得る。係止ストリップは、係止要素を備える。係止ストリップは、好適には、鉛直方向の変位に際して下方に曲がり、そして係止状態に戻るように構成される。
【００３６】
舌部及び／又は舌部溝部の係止面が不正確に配置された状態の係止状態において、係止ストリップはわずかに下方に曲がった状態でとどまり得る。
【００３７】
舌部の係止面と舌部溝部の係止面との間の特徴的な角度は、約１０°であり得る、又は約５°乃至約１５°の範囲にあり得る。
【００３８】
本発明の第２態様は、上述の本発明の第１態様の実施例と、又は従属請求項と、又は下記の実施形態と組み合わせられ得る。
【００３９】
本発明の実施形態により可能なこれら及び他の態様、特徴及び利点が、添付図面を参照してなされる本発明の実施形態についての以下の説明から明瞭になるであろう。
【図面の簡単な説明】
【００４０】
【図１Ａ】一体に係止されるように構成された公知のパネルを示す図。
【図１Ｂ】一体に係止されるように構成された公知のパネルを示す図。
【図２Ａ】本発明によるパネルのセットの実施形態の組付の実施形態を示す図。
【図２Ｂ】本発明によるパネルのセットの実施形態の組付の実施形態を示す図。
【図２Ｃ】本発明によるパネルのセットの実施形態の組付の実施形態を示す図。
【図３Ａ】本発明によるパネルのセットの実施形態の組付の実施形態を示す図。
【図３Ｂ】本発明によるパネルのセットの実施形態の組付の実施形態を示す図。
【図３Ｃ】本発明によるパネルのセットの実施形態の組付の実施形態を示す図。
【図４Ａ】本発明の実施形態による図２Ａ乃至２Ｃに示すパネルの縁部を示す拡大図。
【図４Ｂ】本発明の実施形態による図２Ａ乃至２Ｃに示すパネルの縁部を示す拡大図。
【図４Ｃ】舌部の実施形態を示す拡大図。
【図４Ｄ】下リップの実施形態を示す拡大図。
【図５Ａ】本発明の実施形態によるパネルの縁部の実施形態を示す図。
【図５Ｂ】本発明の実施形態によるパネルの縁部の実施形態を示す図。
【図６Ａ】本発明の実施形態によるパネルのセットの実施形態を示す図。
【図６Ｂ】本発明の実施形態によるパネルのセットの実施形態を示す図。
【図７Ａ】本発明の実施形態によるパネルのセットの実施形態を示す図。
【図７Ｂ】本発明の実施形態によるパネルのセットの実施形態を示す図。
【図７Ｃ】舌部の係止面の実施形態、及び舌部溝部の係止面の実施形態を示す拡大図。
【図８Ａ】本発明の実施形態によるパネルのセットの実施形態を示す図。
【図８Ｂ】本発明の実施形態によるパネルのセットの実施形態を示す図。
【図８Ｃ】本発明の実施形態によるパネルのセットの実施形態を示す図。
【発明を実施するための形態】
【００４１】
本発明の特定の実施形態を添付図面を参照して説明する。しかしながら、本発明は多くの異なる形態において具現化され得るものであり、本明細のに記載される実施形態に限定されるものとして解釈すべきではない。むしろ、これらの実施形態は本開示が完全且つ完璧であるように呈示され、当業者に本発明の範囲を十分に伝達する。添付図面で示される実施形態の詳細な説明において使用される用語は、本発明を限定することを意図していない。図面において、同様の符号は同様の要素を指す。
【００４２】
図１Ａ‐１Ｂに、公知のパネル、例えば床板等のセットを示す。このセットは、第１パネル５１と第２パネル５２とを備える。第１パネルの第１縁部は、第２パネルの第２縁部と協働するように構成されている。第１縁部及び第２縁部は、相対的な鉛直方向の変位５０によって組み付けられる。第１縁部は舌部溝部５６を備え、第２縁部は舌部５３を備え、これらは、第１縁部を第２縁部に鉛直方向において係止するように構成されている。第１縁部は、係止要素５５を有する突出係止ストリップを備える。係止要素５５は、水平方向及び鉛直方向の係止のために第２縁部の係止溝部５８と協働するように構成されている。
【００４３】
図２Ａ‐２Ｃに組付中の本発明による実施形態を示す。本実施形態は、第１パネル１と第２パネル２とを備えるパネルのセットを備え、第１パネルの第１縁部と第２パネルの第２縁部とが、第１縁部に対する第２縁部の鉛直方向の変位１０によって一体に係止されて組み付けられるように構成されている。図４Ａに第１縁部を拡大して示し、図４Ｂに第２縁部を拡大して示す。
【００４４】
第１パネル及び第２パネルは、約３ｍｍ乃至約１２ｍｍの範囲の厚さを有し得る。
【００４５】
第１縁部は、水平方向及び鉛直方向の係止のために、第２縁部の係止溝部４と協働するように構成された係止要素５を備える。第１縁部は、鉛直方向の係止のために、第２縁部の舌部溝部６と協働するように構成された舌部３を備える。舌部溝部６は、上リップ７と下リップ４２とを有する。第１縁部の上部は第１ガイド面１１を備え、下リップ４２の下縁部は第２ガイド面２１を備え、これらは鉛直方向の変位に際して協働するように構成されている。係止要素の上部は第３ガイド面１２を備え、係止溝部の下縁部は第４ガイド面２２を備え、これらの面は鉛直方向の変位に際して協働するように構成されている。舌部の先端部は第５ガイド面１３を備え、舌部溝部６の下リップ４２の先端部は第６ガイド面２３を備え、これらの面は鉛直方向の変位に際して協働するように構成されている。公知のパネルのセットに比較して、本発明の本実施形態は、案内面があるために設置がより容易であり得る。特にパネルの縁部が弾性のあまりない材料からなる場合、高い摩擦を持つ面を有するパネルを組み付けるために改良されたガイド性は重要である。この改良されたガイド性がないと、このようなパネル同士を組み付けることが困難であり得る、又はパネルの部品、例えば舌部が組付中に破損し得る。
【００４６】
図２Ａに、第１ガイド面１１と第２ガイド面２１とが協働する第１ガイド状態を示す。
【００４７】
図２Ｂに、第３ガイド面１２と第４ガイド面２２とが協働し、且つ第５ガイド面１３と第６ガイド面２３とが協働する第２ガイド状態を示す。
【００４８】
図２Ａ‐２Ｂに示すように、本実施形態は、３対のガイド面、すなわち、第１ガイド面１１と第２ガイド面２１とを備える第１の対と、第３ガイド面１２と第４ガイド面２２とを備える第２の対と、第５ガイド面１３と第６ガイド面２３とを備える第３の対と、を備えている。
【００４９】
第３ガイド面１２及び第４ガイド面２２は、丸み面であってもよい。本実施形態は、約３ｍｍ乃至約８ｍｍの厚さを有する薄いパネルについて有利である。丸み面は、約０．２ｍｍ乃至約０．４ｍｍの範囲にある半径、又は約０．３ｍｍの半径を有し得る。この半径は、パネルの厚さの約５％乃至約１０％の範囲にあり得る。
【００５０】
第２縁部は、前記係止溝部４に隣接する較正溝部２５を設けられ得る。較正溝部は、異なる厚さを有する床板、特に床板の縁部において異なる厚さを有する床板を補償し得る。較正溝部によって、第２縁部は、床板が配置される下地床に向かって押圧され得る。図示の較正溝部は矩形形状を有しているが、較正溝部は斜め形状等の他の形状を有し得る。
【００５１】
第１縁部と第２縁部との係止状態を図２Ｃに示す。
【００５２】
舌部と舌部溝、及び係止要素と係止溝部の両方が鉛直方向に係止されることは、弾性材料から構成されるパネルの係止において有利であり得る。二重の鉛直方向係止により、第１縁部と第２縁部との係合が解除したり分離したりリスクが減少され得る。
【００５３】
舌部３は、下側面に係止面３３を備え得る。舌部溝部は、下リップ４２の上側面に係止面３４を備え得る。
【００５４】
舌部３の係止面３３は、舌部溝部の係止面３４に対して平行、又は本質的に平行であり得る。
【００５５】
係止要素と同一の縁部である第１縁部の舌部３は、改良されたガイド性を提供する。更に、舌部３及び下リップ４２の係止面３３、３４は、公知の係止システムに比較して大きくてもよく、且つ係止面のより大きい有利な角度をなしていてもよい。これにより係止強度が増大し得る。
【００５６】
第３及び第４ガイド面１１、２１、並びに第５及び第６ガイド面１３、２３は、鉛直方向の変位に際して、それぞれ同時に協働するように構成されている。
【００５７】
第１及び第２ガイド面１１、２１は、鉛直方向の変位に際して、第３及び第４ガイド面１２、２２より前に協働するように構成されている。
【００５８】
第５及び第６ガイド面１３、２３は、本質的に互いに対して平行であり得るとともに、好適には本質的に鉛直方向に延在し得る、又は鉛直方向に対して約１°乃至約５°の範囲にあり得る、又は約２°であり得る。
【００５９】
第１ガイド面１１は、第５ガイド面１３面の上方に配置されている。
【００６０】
第２ガイド面２１は、第６ガイド面２３の下方に配置されている。
【００６１】
舌部溝部の上リップ７は、第１及び第２縁部の係止状態において、第１ガイド面１１に重なるように構成されている。上リップ７の下面２４は、湿気及び／又は埃が係止状態の第１及び第２縁部の間に入り込むことを抑制するように、第１ガイド面１１と協働するように構成され得る。
【００６２】
第１ガイド面１１は、第１縁部の最上部の傾斜面又は丸み面であり得る。第１ガイド面１１は第５ガイド面１３に隣接している、好適にはこれに連なっている。
【００６３】
係止ストリップ８が、舌部３の下方において第１縁部から突出している。係止ストリップは、係止要素５を備えている。係止ストリップは、好適には、鉛直方向の変位に際して下方に曲がり、そして係止状態に戻るように構成されている。
【００６４】
係止要素５の第１係止面３１は、鉛直方向及び水平方向の係止のために、係止溝部４の第２係止面３２と協働するように構成されている。
【００６５】
第１係止面と係止ストリップの上面との間の湾曲面４９は、係止状態において、第４ガイド面２２と協働するように構成され得る。これにより、水平方向の係止強度が更に増大し得る。
【００６６】
第１係止面３１と第１パネルの上面との間の第１係止角度４３は、約４５°乃至約８５°の範囲、好適には約６０°乃至約８５°の範囲にあり得る、又は好適には約８０°であり得る。
【００６７】
第２係止面３２と第２パネルの上面との間の第２係止角度４０は、約４５°乃至約８５°の範囲、好適には約６０°乃至約８５°の範囲にあり得る、又は好適には約８０°であり得るとともに、第１係止角度４３と本質的に同等であり得る。
【００６８】
本発明の実施形態は、第２係止角度より大きい、例えば約１‐２°大きい第１係止角度４３を備える。これにより、より多くの引き込み荷重が第４ガイド面２２と協働する湾曲面にかかるとともに、より大きな係止強度が得られるという効果が得られ得る。
【００６９】
係止要素は、第１側面と、反対側の第２側面と、上側面とを有し得る。第１側面は、第２側面より舌部３に近い。第１係止面は、好適には第１側面にある。第２側面と係止溝部４との間にはスペースが存在し得る。上側面と係止溝部４との間にはスペースが存在し得る。
【００７０】
舌部３の先端部は、丸みを帯びた形状を有し得る。これにより、先端部の強度が向上され得るとともにガイド性が向上し得る。舌部の先端部において隣接する面同士の各角度は、好適には９０°より大きい。
【００７１】
図４Ｃは、第１ガイド面１１と第５ガイド面１３との間の第１舌部角度９１と、舌部の第５ガイド面１３と係止面３３との間の第２舌部角度９２とを備える舌部の実施形態を示す。第１舌部角度９１は、約１７０°であり得る、又は約１６０°乃至約１７５の範囲にあり得る。第２舌部角度９２は、約１２５°であり得る、又は約１００°乃至約１４５°の範囲、例えば約１１０°乃至約１４５°の範囲にあり得る。
【００７２】
第１ガイド面１１と鉛直方向との間のガイド角度は、約１０°であり得る、又は約５°乃至約２０°の範囲にあり得る。
【００７３】
舌部溝部６の下リップ４２の先端部は、丸みを帯びた形状を有し得る。これにより、先端部の強度が向上され得るとともにガイド性が向上し得る。下リップ４２の先端部において隣接する面同士の各角度は、好適には９０°より大きい。
【００７４】
図４Ｄは、下リップ４２の係止面３４と第６ガイド面２３との間の第１リップ角度９３と、第６ガイド面２３と第２ガイド面２１との間の第２リップ角度９４とを備える下リップ４２の実施形態を示す。第１リップ角度９３は、約１２５°であり得る、又は約１００°乃至約１４５の範囲、例えば約１１０°乃至約１４５の範囲にあり得る。第２リップ角度９４は、約１７０°であり得る、又は約１６０°乃至約１７５の範囲にあり得る。
【００７５】
図７Ｃは、舌部３の係止面３３、及び下リップ４２の係止面３４の実施形態を示す。前記係止面３３、３４は、係止状態において、特徴的な角度９７をなして互いに配置される。利点は、製造公差及び／又は第１縁部と第２縁部との面同士の間の埃又は他の粒子の存在を理由としてこれらの係止面が不正確に配置されたとしても、舌部の係止面３３が舌部溝部の係止面３４と協働し得るということであり得る。舌部及び／又は舌部溝部の係止面が不正確に配置された状態の係止状態において、係止ストリップはわずかに下方に曲がった状態でとどまり得る。
【００７６】
舌部３の係止面３３と舌部溝部の係止面３４との間の特徴的な角度９７は、約１０°であり得る、又は約５°乃至約１５°の範囲にあり得る。
【００７７】
第１係止面角度９９が、舌部の係止面と第１パネルの上面との間に存在する。第２係止面角度９８が舌部溝部の係止面３４と第２パネルの上面との間に存在する。第１係止面角度９９は、好適には第２面角度９８より大きい。
【００７８】
第１係止面角度９９は、約３５°であり得る、又は約１０°乃至約４５°の範囲、又は好適には約２０°乃至約４０°の範囲にあり得る。
【００７９】
第２係止面角度９８は、約２５°であり得る、又は約１０°乃至約４５°の範囲、又は好適には約２０°乃至約４０°の範囲にあり得る。
【００８０】
係止ストリップの上面３６は、係止状態において、第２縁部の下面３５と協働するように構成され得る。
【００８１】
係止ストリップの上面３６は、第１パネルの上面に対して本質的に平行であり得る。
【００８２】
係止ストリップの上面３６は、好適には第２縁部の下面３５に対して平行である。
【００８３】
第１パネル１と第２パネル２とは、第１及び／又は第２パネルを下方に回転させる動作７０により分解されるように構成され得る。図２Ｃを参照されたい。
【００８４】
係止ストリップの下側面は、組付中に係止ストリップを曲げ易くするように、係止要素の下方において凹部又は傾斜部等のスペース４１を備え得る。
【００８５】
第１縁部は、舌部３の下方に下溝部９を備え得る。下リップ４２は、鉛直方向の変位に際して、下溝部９に挿入されるように構成され得る。
【００８６】
組付は、水平方向における変位工程を備え得る。
【００８７】
第１縁部及び第２縁部は、第１及び第２パネルの短縁部であり得る。
【００８８】
組付は、第１及び又は第２パネルの長手方向辺に沿った角度を付けた動作工程も備え得る。
【００８９】
組付中のパネルのセットの実施形態を図３Ａ‐３Ｃに示す。第３及び第４ガイド面１２、２２は、本実施形態において、本質的に平坦な面を備える傾斜面である。本実施形態は、より大きい厚さを有するパネル、及び／又はＨＤＦ、ＭＤＦ又はベニヤ板等の木質ベースのコアを備えるパネルに対して有利であり得る。より厚いパネルは、約７ｍｍ乃至約１２ｍｍの範囲における厚さを有し得る。
【００９０】
図５Ａ‐５Ｂは、より大きいスペース４１を有する係止ストリップを備える第１縁部の実施形態を示す。第１縁部は、下溝部９の底面４５と係止ストリップ８の外面４４との間に第１距離４７を有する。スペース４１は、外面４４から底面４５に向かって第２距離４６だけ延在している。第２距離は、第１距離の約１／１０乃至第１距離と同等であり得る、好適には第１距離の約１／１０乃至約１／２、又はより好適には第１距離の１／１０乃至約１／３であり得る。スペース４１は、０．５乃至３ｍｍ、好適には約１ｍｍの高さを有し得る。
【００９１】
図５Ａの実施形態におけるスペースは、係止ストリップの下方の凹部である。図５Ｂのスペースは係止ストリップ８における溝部である。これらの実施形態は、より大きい厚さを有するパネルに対して有利であり得る。
【００９２】
上述の実施形態は、弾性パネルであり得る。弾性パネルは、熱可塑性材料からなるコアを備え得る。熱可塑性材料は発泡性であり得る。
【００９３】
熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレン・テレフタレート（ＰＥＴ）、ポリアクリレート、メタクリレート、ポリカーボネート、ポリビニル・ブチラール、ポリブチレン・テレフタレート、又はこれらの組み合わせから構成され得る。コアは、複数の層から形成され得る。
【００９４】
上述の実施形態は、熱可塑性材料から構成される装飾箔等の装飾層を備え得る。装飾層の熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレン・テレフタレート（ＰＥＴ）、ポリアクリレート、メタクリレート、ポリカーボネート、ポリビニル・ブチラール、ポリブチレン・テレフタレート、又はこれらの組み合わせから構成され得る。装飾箔は、好適には、例えば直接輪転グラビア印刷による、又はデジタル印刷による印刷である。
【００９５】
上述の実施形態は、フィルム又は箔等の摩耗層を備え得る。摩耗層は、熱可塑性材料から構成され得る。熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレン・テレフタレート（ＰＥＴ）、ポリアクリレート、メタクリレート、ポリカーボネート、ポリビニル・ブチラール、ポリブチレン・テレフタレート、又はこれらの組み合わせから構成され得る。
【００９６】
上述の実施形態は、ＨＤＦ、ＭＤＦ又はべニア板等の木質ベースのコアを備え得る。
【００９７】
図６Ａは、第１パネル及び第２パネルのそれぞれが、装飾層及び／又は摩耗層等の上層６１を備え得ることを示す。第１ガイド面１１は、好適には、上層６１を通過して延在する。第１ガイド面の一部は、コアの材料から構成される。
【００９８】
図６Ｂは、第１パネルと第２パネルのそれぞれが、例えばガラス繊維から構成される単数又は複数の補強層６２を備え得ることを示す。補強層６２は、好適には第３及び第４ガイド面１２、２２、並びに第５及び第６ガイド面１３、２３の外側に配置される。これらのガイド面における補強層は、第１パネルと第２パネルとの組付作業中の摩擦を増大させ得る。
【００９９】
図７Ａは、第２パネルの第２縁部が、第２係止面３２に隣接する第２溝部７１を備え得ることを示す。この溝部７１は、第１及び／又は第２パネルを下方に回転させる動作７０により分解する作業を容易にし得る。
【０１００】
図７Ｂは、第１パネル２の第１縁部が、第１係止面３１に隣接する第１溝部７２を備え得ることを示す。この溝７２は、第１及び／又は第２パネルを下方に回転させる動作７０により分解する作業を容易にし得る。
【０１０１】
第１溝部７２を有する第１縁部は、第２溝部７１を有する第２縁部と組み合わせられ得る。
【０１０２】
第１縁部及び第２縁部の実施形態を図８Ａ‐８Ｂに示す。本実施形態は、下溝部９に隣接したノッチ８２を備える係止ストリップ８を含む。ノッチ８２は、第２縁部の下面の突起８１であって、下リップに隣接する突起８１と協働するように構成されている。ノッチ８２及び突起８１を有する利点は、水平方向強度が更に増加するということであり得る。
【０１０３】
ノッチ８２は、ノッチ面８４を備え得る。ノッチ面８４は、水平方向の係止のために、突起８１の突起面８３と協働するように構成され得る。ノッチ面８４と突起面８３とは、好適には平行であり、第１パネル１の上面に対して約４５°乃至約９０°の範囲にある角度８６をなして配設される。
【０１０４】
ノッチ面と突起面は、互いに距離８５を置いて配置されるように構成され得る。この距離は、係止状態において、例えば、約０．０１ｍｍ乃至約０．１ｍｍ、又は約０．０５ｍｍである。このような距離を有する利点は、第１パネルと第２パネルとの組付作業が容易になることであり得る。
【０１０５】
更なる実施形態（図示せず）において、係止ストリップが突起を備え、第２縁部の下面がノッチを備える。
【図１Ａ−１Ｂ】
2019535932.tif 000003
【図２Ａ】
2019535932.tif 000004
【図２Ｂ】
2019535932.tif 000005
【図２Ｃ】
2019535932.tif 000006
【図３Ａ】
2019535932.tif 000007
【図３Ｂ】
2019535932.tif 000008
【図３Ｃ】
2019535932.tif 000009
【図４Ａ】
2019535932.tif 000010
【図４Ｂ】
2019535932.tif 000011
【図４Ｃ】
2019535932.tif 000012
【図４Ｄ】
2019535932.tif 000013
【図５Ａ】
2019535932.tif 000014
【図５Ｂ】
2019535932.tif 000015
【図６Ａ】
2019535932.tif 000016
【図６Ｂ】
2019535932.tif 000017
【図７Ａ】
2019535932.tif 000018
【図７Ｂ】
2019535932.tif 000019
【図７Ｃ】
2019535932.tif 000020
【図８Ａ】
2019535932.tif 000021
【図８Ｂ】
2019535932.tif 000022
【図８Ｃ】
2019535932.tif 000023
【国際調査報告】
2019535932.tif 000024
2019535932.tif 000025
2019535932.tif 000026
2019535932.tif 000027